(57)【要約】【課題】電動ズーム可能な交換レンズが装着可能である撮像装置の使い勝手を向上させることを目的とする。【解決手段】交換レンズを装着可能な撮像装置であって、交換レンズとの通信を行い、交換レンズから固有情報を取得する通信手段と、ユーザ・インタフェースを表示する表示手段と、表示手段の表面に設けられたタッチパネルと、固有情報に基づいて、表示手段に所定のユーザ・インタフェースを表示させるか否かを決定する制御手段と、を備える。【選択図】図２
2012095167.tif 000002
【特許請求の範囲】
【請求項１】
交換レンズを装着可能な撮像装置であって、
前記交換レンズとの通信を行い、前記交換レンズから固有情報を取得する通信手段と、
ユーザ・インタフェースを表示する表示手段と、
前記表示手段の表面に設けられたタッチパネルと、
前記固有情報に基づいて、前記表示手段に所定のユーザ・インタフェースを表示させるか否かを決定する制御手段と、
を備えた撮像装置。
【請求項２】
前記制御手段は、前記所定のユーザ・インタフェースに対する使用者のタッチ操作に応じて前記交換レンズを制御する、請求項１記載の撮像装置。
【請求項３】
前記制御手段は、装着された前記交換レンズが備える駆動レンズを前記撮像装置から制御可能であることを示す情報を前記固有情報が含むと判断したのに応じて、前記表示手段に前記駆動レンズを制御するための所定のユーザ・インタフェースを表示させると共に、前記所定のユーザ・インタフェースに対する使用者のタッチ操作に応じて前記駆動レンズを制御する、請求項２記載の撮像装置。
【請求項４】
前記駆動レンズはズームレンズであり、
前記制御手段は、前記ズームレンズを前記撮像装置から制御可能であることを示す情報を前記固有情報が含むと判断したのに応じて、前記表示手段にズーム位置を制御するための所定のユーザ・インタフェースを表示させると共に、前記所定のユーザ・インタフェースに対する使用者のタッチ操作に応じて前記ズームレンズを制御する、請求項３記載の撮像装置。
【発明の詳細な説明】
【技術分野】
【０００１】
本発明は、タッチパネルを備えた撮像装置に関し、特に電動ズーム対応交換レンズを制御可能な撮像装置に関する。
【背景技術】
【０００２】
モータ等によりズームレンズを駆動する、いわゆる電動ズームが可能な交換レンズを装着可能な撮像装置が知られている。特許文献１は、撮像装置側から電動ズームの制御が可能な撮像装置を開示している。
【０００３】
この従来の撮像装置は、交換レンズを装着する撮像装置側に、ズーム倍率を操作するためのズームレバーが設けられている。撮像装置の使用者は、このズームレバーを操作することにより、交換レンズのズーム倍率を変更する。これにより、使用者は撮像する画像の画角を変更することができる。
【先行技術文献】
【特許文献】
【０００４】
【特許文献１】特開平１０−１０４０５号公報
【発明の概要】
【発明が解決しようとする課題】
【０００５】
上記従来の撮像装置にはズームレバーが設けられている。しかしながら、撮像装置に装着される交換レンズは、電動ズームが可能であるとは限らない。また、電動ズームが可能であったとしても、装着した撮像装置から制御可能であるとは限らない。したがって、撮像装置側にズームレバーを設けても交換レンズとの組み合わせによってはズームレバーを使用することができないだけでなく、使用できないズームレバーが設けられていることで、かえって使用者にとっての使い勝手が悪化する可能性があるという課題があった。
【０００６】
本発明は上記課題を鑑みてなされたものであり、電動ズーム可能な交換レンズが装着可能である撮像装置の使い勝手を向上させることを目的とする。
【課題を解決するための手段】
【０００７】
上記目的を達成するために、本発明の撮像装置は、交換レンズを装着可能な撮像装置であって、交換レンズとの通信を行い、交換レンズから固有情報を取得する通信手段と、ユーザ・インタフェースを表示する表示手段と、表示手段の表面に設けられたタッチパネルと、固有情報に基づいて、表示手段に所定のユーザ・インタフェースを表示させるか否かを決定する制御手段と、を備える。
【発明の効果】
【０００８】
本発明によれば、電動ズーム可能な交換レンズが装着可能である撮像装置の使い勝手を向上させることができる。
【図面の簡単な説明】
【０００９】
【図１】デジタルカメラの概略構成図
【図２】交換レンズの装着に応じて表示画面を切り替える処理の流れを示すフローチャート
【図３】ズーム操作用のＧＵＩを画面表示部に表示していない状態を示す図
【図４】ズーム操作用のＧＵＩを画面表示部に表示した状態を示す図
【図５】ズーム操作用のＧＵＩを画面表示部に表示した状態を示す図
【発明を実施するための形態】
【００１０】
〔実施の形態１〕
以下、図を用いて実施の形態１に係るデジタルカメラ１の構成および動作について説明する。
【００１１】
〔１−１．構成〕
以下、デジタルカメラ１の構成について説明する。
【００１２】
〔１−１−１．概略構成〕
デジタルカメラ１の概要を説明する。図１はデジタルカメラ１の概略構成図である。デジタルカメラ１は、レンズ交換式のデジタルカメラであり、主に、カメラボディ３（撮像装置の一例）と、カメラボディ３に取り外し可能に装着された交換レンズ２とを備えている。
【００１３】
〔１−１−２．交換レンズの構成〕
交換レンズ２は、レンズマウント９５を介して、カメラボディ３の前面に設けられたボディマウント４に装着されている。レンズ側通信部９１とボディ側通信部５により、レンズマイコン４０とボディマイコン１０との通信が可能となっている。交換レンズ２は、対物レンズ群Ｇ１（不図示）、補正レンズ群Ｇ３（不図示）、ズームレンズ群Ｇ２および、複数のフォーカスレンズ群Ｇ４，Ｇ５を有しており、フォーカスレンズ群Ｇ４，Ｇ５を光軸方向にそれぞれ移動することで撮影距離（物体距離）を変更する。また各フォーカスレンズ群は各フォーカスモータ６４、６５により移動可能であり、レンズマイコン４０の指示によりフォーカスレンズ駆動制御部４１を介してそれぞれ独立駆動が可能となっている。またズームレンズ群Ｇ２は、ズームモータ６３により移動可能であり、レンズマイコン４０の指示により、ズームレンズ駆動制御部４２を介して駆動が可能となっている。
【００１４】
〔１−１−３．カメラボディの構成〕
カメラボディ３の概略構成について説明する。カメラボディ３は、ボディマウント４と、交換レンズ２との通信をおこなうボディ側通信部５とを有している。また、カメラボディ３は、ボディマイコン１０、画像処理エンジン１００、撮像センサ駆動制御部１２、撮像センサ３５、画像表示制御部２１、画像表示部２０、タッチパネル３７、メモリカード１３０を着脱可能なカードスロット（不図示）、内蔵マイク１２０、静止画撮影操作ボタン３０、動画撮影操作ボタン１１０、およびメニュー操作ボタン３９を有する。
【００１５】
ボディ側通信部５とレンズ側通信部９１は、互いにデータの送受信が可能である。通信データの例として、レンズ固有データ（レンズ属性情報：交換レンズ２の識別番号、交換レンズ２のズーム動作が、カメラボディから制御可能であるかどうか、等の情報）、フォーカス駆動制御信号、ズーム駆動制御信号、露光同期信号、動画記録中であるか否かの情報、静音優先が設定されているか否かの情報などがある。ボディマイコン１０は、ボディ側通信部５およびレンズ側通信部９１を介してこれらの通信データを取得することにより、各種制御信号を生成することができる。例えば、ボディマイコン１０は、レンズ属性情報をレンズマイコン１０から取得することにより、レンズ属性に基づく動作をさせるカメラ制御信号を生成することができる。
【００１６】
撮像センサ３５は、交換レンズ２の光学系を介して形成される光学的な像を電気的な信号に変換して画像データを生成するセンサである。撮像センサ３５は、撮像センサ駆動制御部１２により発生されるタイミング信号により駆動制御される。撮像センサ３５が生成した画像データは、画像処理エンジン１００へと供給され、様々な画像処理が行われる。
【００１７】
画像処理エンジン１００は、撮像センサ３５から供給された画像データに対して、ＹＣ変換処理、ホワイトバランス補正処理、ガンマ補正処理、画像拡大・縮小処理、画像の圧縮・縮小処理、コントラスト値を検出することによる合焦判定処理等の様々な画像処理を実行可能である。画像処理エンジン１００により処理された画像データは、メモリカード１３０に記録されたり、画像表示制御部２１を介して画像表示部２０に表示されたりする。
【００１８】
画像表示部２０は、画像表示制御部２１からの命令に基づいて、ライブモニタ画像や、メモリカード１３０に記録された画像などを再生表示する。
【００１９】
タッチパネル３７は、画像表示部２０の表面に重ねて配置され、表示画面に直接触れることにより、カメラの操作を可能とする。画像表示制御部２１は、種々のタッチ操作用に、例えば、図４や図５に示すようなグラフィカル・ユーザ・インターフェイス（以下：ＧＵＩ）を画面表示部２０に表示する。
【００２０】
内蔵マイク１２０は、動画撮影時に音を電気的な信号に変換するものである。図には記載していないが、デジタルカメラ１は、外部マイクも接続可能となっている。外部マイクは指向性に優れ、交換レンズ２の駆動部が発する騒音や、カメラボディ３が発する騒音を録画され難いような構成となっている。その為、外部マイクが接続された際には、内蔵マイク１２０は使用せず、外部マイクを使用してもよい。動画撮影時においては、ボディマイコン１０は、撮像センサ３５により撮像された動画像データおよび、内蔵マイク１２０により集音されデジタル変換された音声データとを所定のフォーマット形式により多重化処理を行い、動画像ファイルとしてメモリカード１３０に記録する。
【００２１】
メモリカード１３０は、撮像センサ３５により生成された静止画像データや動画像データを保存する。ボディマイコン１０は、不図示のカードスロットを介して、メモリカード１３０への各種データの保存処理および読み出し処理を実行可能である。
【００２２】
カメラボディ３の上面には、静止画撮影操作ボタン（シャッターボタン）３０や、動画撮影操作ボタン１１０が設けられており、ボタン操作により各撮影モードが実行される。静止画撮影操作ボタン３０は、浅く押下した半押し状態と、深く押下した全押し状態とを有する。静止画撮影操作ボタンの使用者による半押し操作を受け付けると、ボディマイコン１０は、被写体に合焦するようにフォーカスレンズをオートフォーカス制御する。そして、全押し操作を受け付けると、押下のタイミングに応じて生成された静止画像データをメモリカード１３０に記録する。また、動画撮影操作ボタンの使用者による全押し操作を受け付けると、ボディマイコン１０は、内蔵マイク１２０による音声データの生成と、撮像センサ３５による記録用動画像データの生成を開始して、生成された動画像ファイルをメモリカード１３０に記録する。すなわち、使用者による動画撮影操作ボタン１１０の操作を受けつけると、ボディマイコン１０は、動画記録のための各種動作を実行する。
【００２３】
メニュー操作ボタン３９、および、タッチパネル３７は使用者の操作により、様々なカメラ設定操作が可能である。
【００２４】
ボディマイコン１０は、カメラボディ３の中枢を司る制御装置であり、静止画撮影操作ボタン（シャッターボタン）３０や、動画撮影操作ボタン１１０や、メニュー操作ボタン３９、タッチパネル３７が使用者により操作されたことを検知する。また、ボディマイコン１０は、交換レンズ２がカメラボディ３に装着されたことを検知する機能、あるいは交換レンズ２から像倍率変化情報や焦点距離情報、レンズ属性情報などのデジタルカメラ１を制御する上で必要な情報を取得する機能を有している。更にボディマイコン１０は、レンズマイコン４０に対して、ズームレンズ群Ｇ２、フォーカスレンズ群Ｇ４、Ｇ５を制御するための制御信号を通知する。
【００２５】
〔１−１−４．本発明との対応関係〕
レンズ属性情報は、本発明の固有情報の一例である。ボディ側通信部５は、本発明の通信手段の一例である。画像表示部２０は、表示手段の一例である。ズームレンズ群Ｇ２、レンズ群Ｇ４、レンズ群Ｇ５は、本発明の駆動レンズの一例である。ズームレンズ群Ｇ２は、本発明の所定のレンズの一例である。ボディマイコン１０は、本発明の制御部の一例である。撮像センサ３５は、本発明の撮像部の一例である。デジタルカメラ１は、本発明のカメラシステムの一例である。交換レンズ２は、本発明の交換レンズの一例である。カメラボディ３は、本発明のカメラボディの一例である。
【００２６】
〔１−２．動作〕
以下、デジタルカメラ１の動作について説明する。
【００２７】
図２は、カメラボディへの交換レンズの装着に応じて表示画面を切り替える処理の流れを示すフローチャートである。
【００２８】
まず、ボディマイコン１０は、交換レンズが装着されたか否かを判断する（Ｓ１０）。交換レンズが装着されていないと判断した場合は、所定時間経過後に再度、ステップＳ１０に戻って交換レンズが装着されたか否かを判断する。
【００２９】
ここで、なんらかの交換レンズが装着されたと判断した場合、ボディマイコン１０は、装着された交換レンズから、レンズ属性情報を取得する（Ｓ２０）。ここで、レンズ属性情報より、ボディマイコン１０は、装着された交換レンズが交換レンズ２であること（もしくは、交換レンズ２以外の交換レンズであること）を認識できる。装着された交換レンズが交換レンズ２である場合、交換レンズ２は、レンズ属性情報として、交換レンズ２の識別番号と、ズーム動作がカメラボディから制御可能であるかどうかの情報と、をボディマイコン１０に通知する。
【００３０】
さらに、ボディマイコン１０はレンズ属性情報を取得した後、レンズ属性情報に基づいて、装着された交換レンズのズーム位置を、カメラボディ３から制御可能かどうかを判断する（Ｓ３０）。具体的には、ボディマイコン１０はレンズ属性情報に、交換レンズのズーム動作がカメラボディから制御可能であるという情報が含まれているかどうかを判断する。
【００３１】
ここで、装着された交換レンズが交換レンズ２である場合、レンズ属性情報に交換レンズのズーム動作がカメラボディから制御可能であるという情報が含まれている。したがって、ボディマイコン１０は、取得したレンズ属性情報から、ズーム位置がカメラボディ３から制御可能であると判断する。この場合、例えば、図４および図５に示すようなズーム操作用のＧＵＩ（後述）を画面表示部２０に表示する（Ｓ４０）。
【００３２】
これらのズーム操作用ＧＵＩを画面表示部２０に表示すると共に、ボディマイコン１０は、ズーム操作用ＧＵＩへのタッチ操作に応じて交換レンズ２のズームレンズ群Ｇ２に対するズーム位置制御を開始する。
【００３３】
ユーザは、このズーム操作用ＧＵＩをタッチして操作することで、交換レンズ２のズーム位置制御を実施することが可能になる（Ｓ５０）。
【００３４】
ここでズーム操作用のＧＵＩとは、例えば図４のように、左端が広角端(ワイド端：図中では「Ｗ端」と記載）、右端が望遠端（テレ端：図中では「Ｔ端」と記載）を示す帯状の矩形と、その上に現在のズーム位置を示すマーカを表示したものである。使用者はこのマーカを指先でタッチし、そのままタッチした指先を左右にずらす。ボディマイコン１０はこのタッチ操作を検出し、タッチ操作に応じてマーカの表示位置を左右に移動させる。そしてこのマーカの位置に応じて、レンズマイコン４０に対してズームレンズ群Ｇ２を制御するための制御信号を通知する。
【００３５】
またズーム操作用のＧＵＩとは、例えば図５のように、画面の右側に、ズーム位置を広角側へ移動させるためのアイコン（図中では「Ｗ」と表示）および、ズーム位置を望遠側へ移動させるためのアイコン（図中では「Ｔ」と表示）を表示したものである。使用者がこれらのアイコンをタッチすると、ボディマイコン１０はこのタッチ操作を検出し、タッチ操作に応じて、レンズマイコン４０に対してズームレンズ群Ｇ２を制御するための制御信号を通知する。
【００３６】
前記ステップＳ３０において、装着された交換レンズが、カメラボディ３からのズーム位置制御が不可能な交換レンズ（図示せず）である場合について説明する。装着された交換レンズが、カメラボディ３からのズーム位置制御が不可能な交換レンズであり、レンズ属性情報に、交換レンズのズーム動作がカメラボディから制御可能であるという情報が含まれていない場合、ボディマイコン１０は、取得したレンズ属性情報から、ズーム位置がカメラボディ３から制御不可能であると判断する。この場合、例えば、図３に示すように、ズーム操作用ＧＵＩを非表示とした通常表示画面を画面表示部２０に表示する（Ｓ６０）。
【００３７】
このとき、タッチ操作による交換レンズのズーム制御は不可能であるため、ユーザは、ボタン類によるデジタルカメラ１の操作を行うか、タッチによるズーム操作を除いたタッチパネル３７への操作により、デジタルカメラ１の操作を実施する（Ｓ７０）。
【００３８】
以上のように、実施の形態１に係るデジタルカメラ１において、ボディマイコン１０は、装着された交換レンズのズーム位置を、カメラボディ３から制御可能かどうかを判断し、操作可能な場合は、ズーム操作用ＧＵＩを画面表示部２０に表示し、操作不可能な場合は、通常のタッチ・ユーザ・インターフェイスを表示する。この構成により、カメラボディ１からズーム位置操作可能な交換レンズが装着されたときにズーム操作用ＧＵＩを表示し、ズーム位置操作不可能な交換レンズが装着されたときにはズーム操作用ＧＵＩを表示しないようにできる。このため、必要なときにズーム操作用ＧＵＩを表示できると共に、不要な場合は非表示とするため、画面表示部２０を有効活用することが可能となる。
【００３９】
〔２．他の実施形態〕
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
【００４０】
上記実施の形態１では、交換レンズ２の装着時に、ズーム操作用ＧＵＩの表示をするか否かを判断していたが、本発明はこれに限定されない。カメラボディ１からのズーム位置制御が可能な交換レンズが装着されたと判断したときにズーム操作用ＧＵＩを画面表示部２０に表示し、カメラボディ１からズーム位置制御が可能な交換レンズが取り外されたと判断したときにズーム操作用ＧＵＩを画面表示部２０から消去（非表示）としてもよい。
【００４１】
上記実施の形態１では、ズーム操作用ＧＵＩとして、図４および図５に示すようなＧＵＩを例示したが、本発明はこれに限定されない。ズーム操作用ＧＵＩとしては、タッチパネル３７に対するタッチ操作により交換レンズ２のズーム位置操作が可能なＧＵＩであればよく、例えば、単純にワイド端、テレ端へズーム位置を移動させるためのボタンに相当するＧＵＩを表示させてもよい。また、カメラボディ２が、ズーム操作用ＧＵＩを複数種類保持しており、ユーザがメニュー等からそれらのうちのひとつを選択できるようにしてもよい。
【００４２】
上記実施の形態１では、カメラボディ１からのズーム位置制御が可能な交換レンズが装着されたと判断したときにズーム操作用ＧＵＩを画面表示部２０に表示する構成について説明したが、他の制御対象について同様の動作を行うようにしてもよい。例えば、カメラボディ１からのフォーカス位置制御が可能な交換レンズが装着されたと判断したときにフォーカス操作用ＧＵＩを画面表示部２０に表示するようにしてもよい。この場合、交換レンズはレンズ属性情報として、カメラボディ１からのフォーカス制御が可能である旨の情報を含めてボディマイコン１０に送信する。ボディマイコン１０はこの情報に応じて、フォーカス操作用ＧＵＩを画面表示部２０に表示する。また、このような交換レンズが取り外されたときには、フォーカス操作用ＧＵＩを画面表示部２０から消去するようにしてもよい。なお、フォーカス制御のモードがオートフォーカスモードに設定されている場合は、カメラボディ１からのフォーカス位置制御が可能な交換レンズが装着されたと判断したときであってもフォーカス操作用ＧＵＩを画面表示部２０に表示せず、フォーカス制御のモードがマニュアルフォーカスモードに設定されている場合は、カメラボディ１からのフォーカス位置制御が可能な交換レンズが装着されたと判断したときにフォーカス操作用ＧＵＩを画面表示部２０に表示するようにしてもよい。
【産業上の利用可能性】
【００４３】
本発明の撮像装置は、ユーザ・インタフェースを向上することができるため、デジタルカメラやデジタルビデオカメラ等の電子機器に適用可能である。
【符号の説明】
【００４４】
１  デジタルカメラ
２  交換レンズ
３  カメラボディ
４  ボディマウント
５  ボディ側通信部
１０  ボディマイコン
１２  撮像センサ駆動制御部
２０  画像表示部
２１  画像表示制御部
３０  静止画撮影操作ボタン
３５  撮像センサ（撮像素子の一例）
３７  タッチパネル
３９  メニュー操作ボタン
４０  レンズマイコン
４１  フォーカスレンズ駆動制御部
４２  ズームレンズ駆動制御部
６３  ズームモータ（ズームアクチュエータの一例）
６４  フォーカスモータ（フォーカスアクチュエータの一例）
６５  フォーカスモータ（フォーカスアクチュエータの一例）
９１  レンズ側通信部
９５  レンズマウント
１００  画像処理エンジン
１１０  動画撮影操作ボタン
１２０  内蔵マイク
１３０  メモリカード
Ｇ２  ズームレンズ群
Ｇ４  フォーカスレンズ群
Ｇ５  フォーカスレンズ群
【図１】
2012095167.tif 000003
【図２】
2012095167.tif 000004
【図３】
2012095167.tif 000005
【図４】
2012095167.tif 000006
【図５】
2012095167.tif 000007